(57)【特許請求の範囲】
【請求項１】
カメラに内蔵される被写体撮影用レンズを取り付けるレンズ取付開口と、
前記カメラの操作モードを選択するもので、回転ダイヤル式でモード検出用の摺動片と接触片と前記摺動片を収納する回転体とを有する操作モード選択スイッチと、
前記操作モード選択スイッチの前記回転体の外周に設けられて前記操作モード選択スイッチと一体に形成されて、撮影時と、非撮影時で異なる半径のカムを有するカム部と、
前記カム部に摺動接触して、揺動する駆動レバーと、
前記駆動レバーの揺動に応じて前記レンズ取付開口を開閉するレンズカバーと、
を具備し、
前記操作モード選択スイッチが撮影時には、前記レンズカバーは前記レンズ取付開口を開放し、非撮影時には、前記レンズカバーは前記レンズ取付開口を閉鎖するものであり、
前記駆動レバーは、略Ｖ字形状で、一方の片には前記カム部に摺動接触するように設けた突起部と、他方の片の先端には前記レンズカバーの一端が係合されるレンズカバー駆動腕と、前記一方の片と他方の片の両先端の離反を規制するストッパー片とを一体に形成し、前記一方の片と他方の片を離反する方向に付勢するスプリングと、前記一方の片の突起部を前記カム部に常時摺動接触するように付勢する弾性部材とから成ることを特徴とするカメラのレンズカバー開閉装置。
【請求項２】
前記レンズカバーは、回転軸を中心として、一方に前記レンズ駆動腕と係合するポストを有し、他方に前記レンズ取付開口を覆うカバー部を有したことを特徴とする請求項１に記載のカメラのレンズカバー開閉装置。
【請求項３】
前記操作モード選択スイッチで選択されたモードが撮影で、前記レンズカバーがレンズ取付開口を開放状態時に、前記レンズカバーに閉鎖方向の外力が与えられた際に、その外力を前記駆動レバーのスプリングで吸収し、さらに、前記操作モード選択スイッチで選択されたモードが非撮影で、前記レンズカバーがレンズ取付開口を閉鎖状態時に、前記レンズカバーに開放方向の外力が与えられた際に、その外力を前記弾性部材で吸収することを特徴とする請求項１に記載のカメラのレンズカバー開閉装置。
【発明の詳細な説明】
【０００１】
【発明の属する技術分野】
本発明は、動画または静止画を撮影するビデオカメラまたはデジタルカメラのカメラレンズを開閉するためのレンズカバー開閉装置に関するものである。
【０００２】
【従来の技術】
従来、ビデオカメラやデジタルカメラ（以下、カメラという）のカメラレンズを保護するためにレンズを取り付けた開口を開閉するレンズカバーは、カメラの各種操作モード、例えば、撮影録画モード、録画再生モード、及び動作電源オフモード等の操作モードを選択する選択つまみに連動させて前記レンズカバーを開閉する方式が提案されている。
【０００３】
これら前記選択つまみに連動させたレンズカバーの開閉装置には、前記選択つまみのモード位置に応じて電動モータを駆動して前記レンズカバーを開閉したり、または、前記選択つまみの選択動作に応じて、カム、レバー及び歯車等から成る機械的駆動機構を用いて前記レンズカバーを開閉させている。
【０００４】
前記電動モータを用いたレンズカバー開閉装置は、カメラの筐体内に収納する電動モータの配置スペースを確保する必要があり、カメラ本体の形状寸法が大型となり、かつ、コストが向上する。このため、カメラの形状寸法の小型化と軽量化の観点から前記機械的駆動機構を用いたレンズカバー開閉装置が多用されている。
【０００５】
この機械的駆動機構を用いたレンズカバー開閉装置の具体例として、特開平８−２８９１８４号公報に、電源スイッチ釦のモードカム部とリンク機構を介して連結され、かつ、電源スイッチ釦の操作ノブ部の操作に伴って非撮影時のモードカム部と対応した時に撮影レンズを被覆するように閉じる一方、撮影時のモードカム部と対応した時に撮像レンズを露出するように開くレンズカバーを備えたビデオカメラのレンズカバー開閉機構が提案されている。
【０００６】
また、特開平１０−１２６６６０号公報に、カメラモードのプログラムを指定するプログラムノブを有したビデオカメラに、プログラムノブの回転により電源のオン／オフモードとＶＣＲモードを実行するモード変換手段と、プログラムノブに設けたカム溝の回転によりレンズ部を開閉するレンズカバーを駆動させるレンズカバー開閉手段が提案されている。
【０００７】
さらに、特開平５−３３３４０４号公報に、スイッチつまみのカメラモードとスイッチオフ位置との往復動操作に連動するスライダと、スライダの直線運動を回転運動に変換する回転駆動機構と、この回転駆動機構の出力側に設けられた駆動カムから従動カムへ回転力を伝達するクラッチ機構と、従動カムの回転動作に連動してカメラレンズを開閉するレンズカバーから構成されたレンズカバー開閉機構が提案されている。
【０００８】
前記特開平８−２８９１８４号および特開平１０−１２６６６０号公報に記載のこれらレンズカバー開閉機構または手段は、前記操作ノブまたはプログラムノブを非撮影または電源オフ時で、レンズカバーが閉じた状態の際に、撮影者の手等によりレンズズカバーを開く外力が加わると、このレンズカバーに連動するリンク機構やレンズカバー開閉手段も揺動して、電源スイッチ釦のモードカム部やプログラムノブのカム溝を摺動移動させたり、または破損させてしまう。
【０００９】
一方、前記特開平５−３３３４０４号公報に記載のレンズカバー開閉機構は、レンズカバーに外力が加わった際には、クラッチ機構の従動カムで駆動カムを後退させて、駆動カム以降への外力の伝達を防止すると共に、前記レズカバーの外力が解除されると、駆動カムが前進して従動カムを元の状態へ戻し、レンズカバーを閉じた状態に戻るようになっている。
【００１０】
【発明が解決しようとする課題】
前記特開平８−２８９１８４号及び特開平１０−１２６６６０号公報に記載されたレンズカバー開閉機構と手段は、前記レンズカバーが例えば閉じた状態でレンズカバーを開く状態に外力が加わると、前記リンク機構の先端とモードカム部の接触位置及び前記レンズカバー開閉手段の先端とカム溝との摺動位置が変動する。前記レンズカバーに加わっている外力が解除された後は、前記レンズカバーは、開いた状態で維持されてしまう。また、逆に撮影または電源オンモードで前記レンズカバーを開いた状態で、レンズカバーを閉じる方向に外力が加われると、前記リンク機構またはレンズカバー開閉手段の先端は、前記モードカム部やプログラムノブのカム溝を摺動移動して、前記レンズカバーに加わっている外力が解除された後も、閉じた状態に維持されてしまう。あるいは、前記レンズカバーに外力が解除された際に、前記レンズカバーが移動しないようにすると、前記リンク機構やレンズカバー開閉手段を折曲または破損させる不都合が生じる。
【００１１】
また、特開平５−３３３４０４号公報に記載のレンズカバー開閉機構は、モード切替にスライドスイッチを用い、このスライドスイッチの移動距離の小さい直線運動を伝達するスライダと、スライダの直線運動を回転運動に変換する回転機構を有し、かつ、この回転機構内にクラッチ機構を有している。このため、スライドスイッチの小さな直線運動を歯車等でレンズカバーの開閉移動に必要な大きな回転運動に変換する必要があり、かつ、その回転運動変換機構内にクラッチ機構を設けるために、多くの精密加工された部材を用いることになり、カメラ本体の小型化や軽量化及びコスト削減を阻害する不都合が生じる。
【００１２】
本発明は、カメラレンズのカバーの開閉動作を確実に行うと共に、レンズカバーに外力が加わった際には、レンズカバーの駆動機構に損傷を与えることなく、レンズカバーのみを移動させて外力を吸収すると共に、外力が解除されると、元の状態に復元可能で、カメラ本体の小型軽量化とコスト低減が可能なカメラのレンズカバー装置を提供することを目的としている。
【００１３】
【課題を解決するための手段】
本発明のカメラのレンズカバー開閉装置は、カメラに内蔵される被写体撮影用レンズを取り付けるレンズ取付開口と、前記カメラの操作モードを選択するもので、回転ダイヤル式でモード検出用の摺動片と接触片と前記摺動片を収納する回転体とを有する操作モード選択スイッチと、前記操作モード選択スイッチの前記回転体の外周に設けられて前記操作モード選択スイッチと一体に形成されて、撮影時と、非撮影時で異なる半径のカムを有するカム部と、前記カム部に摺動接触して、揺動する駆動レバーと、前記駆動レバーの揺動に応じて前記レンズ取付開口を開閉するレンズカバーと、を具備し、前記操作モード選択スイッチが撮影時には、前記レンズカバーは前記レンズ取付開口を開放し、非撮影時には、前記レンズカバーは前記レンズ取付開口を閉鎖するものであり、前記駆動レバーは、略Ｖ字形状で、一方の片には前記カム部に摺動接触するように設けた突起部と、他方の片の先端には前記レンズカバーの一端が係合されるレンズカバー駆動腕と、前記一方の片と他方の片の両先端の離反を規制するストッパー片とを一体に形成し、前記一方の片と他方の片を離反する方向に付勢するスプリングと、前記一方の片の突起部を前記カム部に常時摺動接触するように付勢する弾性部材とから成ることを特徴とする。
【００１６】
本発明のカメラのレンズカバー開閉装置の前記レンズカバーは、回転軸を中心として、一方に前記レンズ駆動腕と係合するポストを有し、他方に前記レンズ取付開口を覆うカバー部を有したことを特徴とする。
【００１７】
さらに、本発明のレンズカバー開閉装置は、前記操作モード選択スイッチで選択されたモードが撮影で、前記レンズカバーがレンズ取付開口を開放状態時に、前記レンズカバーに閉鎖方向の外力が与えられた際に、その外力を前記駆動レバーのスプリングで吸収する。さらに、前記操作モード選択スイッチで選択されたモードが非撮影で、前記レンズカバーがレンズ取付開口を閉鎖状態時に、前記レンズカバーに開放方向の外力が与えられた際に、その外力を前記弾性部材で吸収することを特徴とする。
【００１８】
本発明により、カメラの操作モード選択スイッチに一体に設けたカム部により駆動する駆動レバーにより、直接レンズカバーの開閉動作が行え、レンズカバー駆動用の構成部品の単純化と部品点数の削減ができ、かつ、レンズカバーに与えられる外力からレンズカバー駆動用の構成部品の変形破損が防止でき、カメラ本体の小型軽量化とコスト低減が可能となる。
【００１９】
【発明の実施の形態】
以下、図面を参照して本発明の実施の形態について、図１と図２を用いて詳細に説明する。図１は本発明に係るカメラのレンズカバー装置の一実施の形態を示す斜視図で、レンズカバーでレンズ取付開口を閉じた状態を示しており、図２は図１と同様に本発明に係るカメラのレンズカバー装置の一実施形態を示す斜視図で、レンズカバーでレンズ取付開口を開いた状態を示している。
【００２０】
本発明のカメラのレンズカバー装置の構成を図１を用いて説明する。
【００２１】
本発明のレンズカバー装置を用いるカメラには、カメラの操作モードを設定するための操作モードスイッチをユーザが操作しやすいカメラ本体の所定の位置に設けられた回転ダイヤル式のものを用いている。図中の符号１１は、回転ダイヤル式の操作モードスイッチを示している。この操作モードスイッチ１１は、ユーザが回転操作するつまみ部１２と、このつまみ部１２と同軸に固定されて共に回転する有底円筒状の回転体部１３と、この回転体部１３の有底部分に配置された摺動片１４と、前記回転体部１３の内周部に嵌合され、かつ、前記摺動片１４に摺動接触する接触片１５を有する基板部１６から成っている。前記つまみ部１１の表面には、複数の操作モード位置を示すモード表示指標１２ａ〜１２ｃが表記され、このモード表示指標１２ａ〜１２ｃが図示していない基準位置指標を指した際に、表示指標１２ａ〜１２ｃの操作モードを示すようになっている。図の例では、モード表示指標１２ａは再生モード、指標１２ｂはカメラの駆動電源オフモード、及び指標１２ｃは録画モードを示している。このつまみ部１２の底面のほぼ中心部からは、前記回転体部１４の中心部と連結固定する円筒状の固定軸１７が延在している。この固定軸１７の先端には、複数の突起片１７ａ〜１７ｄ（図には、１７ａ〜１７ｃのみ示す）が等間隔に設けられている。一方、前記回転体部１３の中央部には、前記固定軸１７の突起片１７ａ〜１７ｄが挿入される複数の挿入口１３ａ〜１３ｄが設けられ、前記固定軸１７の突起片１７ａ〜１７ｄを挿入後、溶着して前記つまみ部１２と前記回転体部１３を同軸固定する。また、前記回転体部１３の中央部で、前記挿入口１３ａ〜１３ｄの内周側には、中心開口１８が穿設されている。この中心開口１８は、前記基板部１６の中心部に設けた円柱軸１９か摺動嵌合するようになっている。前記回転体部１３の有底部分の摺動片１４は、複数の摺動片１４ａ〜１４ｄから成り、この各摺動片１４ａ〜１４ｄの他端は電気的に共通導体で接続されている。前記基板部１６の接触片１５は、導電体で、かつ、円弧状に異なる長さの複数の接触片１５ａ〜１５ｄが印刷配線技術を用いて形成され、かつ、それら複数の接触片１５ａ〜１５ｄは、前記摺動片１４ａ〜１４ｄに回転体部１３の回転により摺動接触するようになっている。
【００２２】
つまり、接触片１５ａは共通片とし、基板部１６の表面の外周付近に前記つまみ部１２の回転操作と共に回転する前記回転体部１３の摺動片１４ａの回転摺動範囲に形成されており、前記接触片１５ｂは前記つまみ部１２の指標１２ｂが基準位置指標を指した際には、前記摺動片１４ｂが接触する位置に形成され、前記接触片１５ｃと１５ｄは、前記つまみ部１２の指標１２ａ又は１２ｃが基準指標を指した際に、前記摺動片１４ｃまたは１４ｄが接触する位置に設けられるようになっている。
【００２３】
すなわち、前記摺動片１４ａ〜１４ｄと前記接触片１５ａ〜１５ｄの接触状態を前記接触片１５ａ〜１５ｄに接続された接続導体２０に接続される図示していないモード検出手段で検出し、かつ、カメラの操作モード制御手段を介して、カメラの駆動電源のオン／オフや、録画モードの駆動及び再生モードの駆動制御を行う。
【００２４】
次に、カメラのレンズ取付開口を開閉するレンズカバー装置の構成について説明する。前記操作モードスイッチ１１の回転体部１３の外側面に、半径の異なるカム部２１を形成するようにする。このカム部２１は、半径ｒ１の小径円弧２１ａと、半径ｒ２の大径円弧２１ｂと、この小径円弧２１ａと大径円弧２１ｂとの間に傾斜部２１ｃが形成されている。つまり、前記半径ｒ１とｒ２の関係は、ｒ１＜ｒ２となるように構成されている。さらに、前記半径ｒ１を有した小径円弧２１ａは、前記つまみ部１２の指標１２ａの再生モード及び指標１２ｂの電源オフモードが基準指標を指した際に、後述するレンズカバー駆動機構を介してレンズカバーがレンズ取付開口を閉じる位置に設ける。
【００２５】
このレンズカバー駆動機構は、第１の片２３と第２の片２４と、この第１と第２の片２３、２４を連結する連結部２５からなり、一体に成形された略Ｖ字形状のレバー２２を揺動して、後述するレンズカバーを開閉操作させるようになっている。
【００２６】
前記Ｖ字形状のレバー２２の第１の片２３は、全体形状が平面板状の矩形で、先端部の側面からは三角形状の突起部２３ａが前記回転体部１３のカム部２１側に配置されるように突出形成されている。このＶ字形状のレバー２２の連結部２５は、図示されていないカメラのシャーシに軸２６で回動自在に固定されている。この連結部２５には、捻りバネ２７が配置され、この捻りバネ２７の一端は、第１の片２３に設けたバネ受け片２８に固定され、他端は、シャーシに設けたバネ固定片２９に固定され、前記Ｖ字形状レバー２２の第１の片２３の突起部２３ａを常時前記カム部２１に当接するように付勢している。  前記Ｖ字形状のレバー２２の第２の片２４は、図中縦方向に平面を有する長尺な矩形状で形成され、先端部には、前記第１の片２３側に略直角に延在させたストッパー腕３０と、このストッパー腕３０と反対方向に延在させたカバー駆動腕３１が形成されている。前記ストッパー腕３０の先端部は、前記第１の片２３の先端部に形成されたストッパ固定片３２の中空部３２ａに挿入され、かつ、前記ストッパ腕３０の先端は折曲部３０ａを有して、前記ストッパ固定片３２の中空部３２ａから離脱されないように形成されている。
【００２７】
前記第２の片２４のストッパー腕３０の近傍と前記ストッパー固定片３２との間には、スプリング３３を配置して、前記ストッパー腕３０の折曲部３０ａが前記ストッパー固定片３２と当接するように付勢されている。
【００２８】
前記Ｖ字形状レバー２２は合成樹脂材で一体に成形されて生成するが、前記第２の片２４は、図中の矢印Ｈ方向に撓むように成形されている。
【００２９】
前記第２の片２４のカバー駆動腕３１には、長孔状のポスト孔３１ａが設けられている。このポスト孔３１ａには、支点３４で回転自在に固定されたレンズカバー３５の一端に設けたポスト３６が挿入されている。このレンズカバー３５は、前記支点３４を中心にして、前記ポスト３６を設けた一端と反対側には、レンズ取付開口を覆う形状寸法を有したカバー部３７が形成されている。なお、図中の符号３８は図示していないレンズが配置されたレンズ取付開口を示している。また、符号３９は、前記レンズカバー３４の開閉動作の係止片を示しており、カバー部３７が前記レンズ取付開口３８を閉じた際の係止片は３９ａ、カバー部３７が前記レンズ取付開口３８を開いた際の係止片は３９ｂで示し、これら係止片３９はシャーシに植設固定されている。
【００３０】
このような構成のレンズカバー開閉装置の動作について説明する。
【００３１】
図１は、前記操作モードスイッチ１１のつまみ部１２を電源オフである指標１２ｂを基準指標に回転位置させて、前記レンズカバー３４のカバー部３７がレンズ取付開口３８を閉じた状態を示している。
【００３２】
このつまみ部１２と一体の回転体部１３も共に回転して摺動片１４と基板部１６の接触片１５の摺動接触により、操作モードが検出される。この時、前記Ｖ字形状レバー２２は、捻りバネ２７により軸２６を中心として図中矢印Ｌで示す時計方向に常時付勢するようにしており、前記第１の片２３の突起部２３ａは、前記回転体部１３のカム部２１に摺動接触している。前記つまみ部を１２の指標１２ｂの電源オフ指標を基準指標に合わせると、前記第１の片２３の突起部２３ａは、カム部２１の小径円弧２１ａと摺動接触する。前記Ｖ字形状レバー２２の第２の片２４は、図中矢印Ｈと逆の方向にスプリング３３で付勢されており、前記ストッパー腕３０の折曲部３０ａとストッパー固定片３２で位置規制されるようになっている。
【００３３】
前記第２の片２４のカバー駆動腕３１の長孔３１ａにポスト３６が挿入されたレンズカバー３５は、軸３４を中心とし回動自在に固定されおり、前記カバー駆動腕３１が前記スプリング３３で付勢されることにより、カバー部３７を図中矢印Ｍ方向に付勢されて前記レンズ取付開口３８を閉じた状態に位置するようにしている。この時、前記レンズカバー３５は係止片３９ａで位置規制されるようになっている。
【００３４】
なお、前記つまみ部１２の指標１２ａの録画再生モードに回転選択した際には、前記レンズ取付開口３８をカバー部３７で閉じられていることが望ましいため、前記Ｖ字形状レバー２２の突起部２３ａは、電源オフモードと同じように、前記カム部２１の小径円弧２１ａと摺動接触されるようにしている。
【００３５】
次に、図２を用いて、前記つまみ部１２を録画モードの指標１２ｃを基準指標に合わせて、前記レンズ取付開口３８をカバー部３７で開く動作について説明する。なお、図２では前記回転体部１３の摺動片１４と前記基板部１６は、省略している。
【００３６】
前記つまみ部１２を指標１２ｂの電源オフモードから指標１２ｃの録画モードへと回転移動すると、回転体部１３と共にカム部２１も共に回転する。このつまみ部１２の回転により、前記Ｖ字形状レバー２２の第１の片２３の突起部２３ａは、小径円弧２１ａから斜面２１ｃを経て大径円弧２１ｂへと摺動接触を移動させながら前記第１の片２３を図中の矢印Ｌと逆な時計方向に回動させる。これにより、前記レンズカバー３５のカバー部３７は図中矢印Ｍで示す時計方向に回転移動する。
【００３７】
前記第１の片２３の突起部２３ａが前記カム部２１の傾斜２１ｃを摺動されるに従い、前記カバー部３７はレンズ取付開口３８を開く矢印Ｍ方向へと移動する。このカム部２１の傾斜部２１ｃの摺動中に、前記カバー部３７は、前記レンズ取付開口３８を完全に開く位置に移動させると共に、係止片３９ｂでカバー部３７の回転移動を停止させる。このカバー部３７が係止片３９ｂで停止された状態から、さらに前記カム部２１を回動させて、前記第１の片２３の突起部２３ａをカム部２１の大径円弧２１ｂに摺動接触移動させると、前記第２の片２４は、第２の片２４自体の撓みと、前記スプリング３３の圧縮により、前記第１の片２３の突起部２３ａはカム部２１の大径円弧２１ｂへと摺動されるようになっている。
【００３８】
このカム部２１の大径円弧２１ｂに突起部２３ａが摺動した位置で、前記摺動片１４と接触片１５の接触により、撮影録画モードが設定されるようにしている。
【００３９】
これは、前記カバー部３７が前記レンズ取付開口３８を十分に開く前に、前記摺動片１４と接触片１５が摺動接触して、撮影録画モードに設定して撮影を開始すると、レンズ取付開口３８が十分に開口する前の映像が撮影されることになるため、前記カバー部３７がレンズ取付開口３８を十分に開いた後に、撮影録画が開始されるようにしている。
【００４０】
次に、前記レンズカバー３５のカバー部３７がレンズ取付開口３８を閉じていたり、または開いている状態で、レンズカバー３５に外力が加わった際の動作について説明する。
【００４１】
先ず、図１に示すように操作モードが電源オフまたは再生モードが選択されて、前記レンズ取付開口３８がレンズカバー３５で閉じられている場合、例えば、ユーザがカバー部３７に触れて、図中矢印Ｍの反時計方向に外力を加えた場合、このレンズカバー３５は、係止片３９ａで回動が停止されているために、外力による反時計方向へのレンズカバー３５の回動は抑制される。この状態で、図中矢印Ｎの時計方向にレンズカバー３５を動かす外力が与えられると、前記カバー駆動腕３１を介して前記第２の片２４を反時計方向に回動させることになる。カバー駆動腕３１に加わった反時計方向への回動力は、前記ストッパー腕３０も反時計方向に回動し、このストッパー腕３０の先端の折曲部３０ａがストッパ固定片３２と当接されるために第１の片２３も反時計方向に回動する。この第１の片２３は捻りバネ２７で常時時計方向に付勢されているが、前記外力はこの捻りバネ２７で吸収されて、前記レンズカバー３５やＶ字形状レバー２２は変形破損することはない。
【００４２】
また、前記レンズカバー３５のカバー部３７の外力が解除されると、前記捻りバネ２７の付勢により、前記カバー部３７は、前記レンズ取付開口３８を閉じる方向に回動して、元の状態に復帰されることになる。
【００４３】
次に、図２に示すように、前記レンズ取付開口３８を前記レンズカバー３５のカバー部３７で開いた状態で、図中矢印Ｍの時計方向に外力が加わると、前記ストッパー３９ｂで時計方向の回転は停止し抑制される。この状態で、図中矢印Ｎの反時計方向にレンズカバー３５を動かす外力が与えられると、前記カバー駆動腕３１を介して、前記第２の片２４を時計方向に回動させることになる。このカバー駆動腕３１に伝達された時計方向への回転力は、前記第２の片２４と前記スプリング３３の撓みにより、ストッパ腕３２をストッパ固定片３２の中空部を摺動させることになり、前記外力は第２の片２４とスプリング３３の撓みで吸収されて、前記レンズカバー３５とＶ字形状レバー２２は変形破損することはない。
【００４４】
また、前記カバー部３７の外力が解除されると前記スプリング３３の付勢により、前記第２の片２４は反時計方向に回動させて前記カバー駆動腕３１を介して、前記レンズカバー３５を元の状態であるレンズ取付開口３８を開いた位置へと復帰させるようになる。
【００４５】
以上説明したように、本発明によるカメラのレンズカバー装置は、カメラの操作モードを選択設定する回転ダイヤル式操作スイッチを用い、このスイッチの位置検出用の摺動片を内蔵した回転体部の外周にカム部を形成し、このカム部に摺動接触して揺動するＶ字形状レバーを一体に合成樹脂材で形成し、かつ、このＶ字形状レバーの一部に係合したレンズカバーで前記カム部によるＶ字形状レバーの揺動により、レンズ取付開口を開閉駆動するようにしたため、数点の部品でレンズカバー装置が実現できるとと共に、操作モード選択設定時に確実にレンズカバーの開閉が行え、仮に前記レンズカバーに外力が加えられても、前記Ｖ字形状レバーを前記カム部に常時当接接触される捻りバネやＶ字形状レバーの一方の片を撓ませるスプリング等で前記外力を吸収し、外力が解除されると元の状態へと速やかに復元できるレンズカバー装置が提供可能となった。さらに、前記レンズカバーが前記レンズ取付開口を閉鎖または開放された状態時には、前記捻りバネやスプリングで前記レンズカバーを係止片に当てつけられているので、レンズカバーの閉止と開放維持の位置精度が向上する。
【００４６】
また、前記Ｖ字形状レバー２２の第１の片２３の下面に取り付け用脚を形成し、シャーシにはその取付脚が挿入され、かつ、摺動可能な長孔を設けることで、ワンタッチでシャーシへの固定取付が可能となり、カメラ本体へのレンズカバー開閉装置の組み込み作業も安易に実施できる。
【００４７】
なお、前述の本発明の実施形態は、操作モードスイッチ１１で選択する操作モードは、ビデオカメラの撮影録画モード、録画映像の再生モード、及びビデオカメラの動作電源オフモードの例を用いて説明したが、ビデオカメラには前述のモード以外の他の操作モードも存在し、それら他の操作モードに応じて、前記レンズ取付開口を必要に応じて開閉するようにレンズカバーの動作を制御可能である。
【００４８】
また、静止画を主体に撮影記録するデジタルカメラにおいても、本発明のレンズカバー開閉装置が適用可能であることは言うまでもなく、デジタルカメラ特有の各種操作モードに応じて、レンズ取付開口の開閉が可能である。
【００４９】
【発明の効果】
本発明は、レンズカバー開閉装置を構成する部品は数点で済み、カメラ本体への組立も短時間に安易に実施でき、かつ、レンズ開閉も操作モードに応じて確実に動作できると共に、レンズカバーに外力が加わった際には、その外力を確実に吸収して、前記レンズカバー装置を構成する部品の変形破損が生じることもなく、さらに、前記外力が解除されると、速やかにレンズカバーが元の状態に復元でき、カメラ本体の小型軽量化とコスト低減が可能となる効果を有している。
【図面の簡単な説明】
【図１】本発明に係るカメラのレンズカバー開閉装置の一実施の形態で、レンズカバーでレンズ取付開口を閉じた状態を示す斜視図。
【図２】図１に示したカメラのレンズカバー開閉装置のレンズカバーでレンズ取付開口を閉じた状態を示す斜視図。
【符号の説明】
１１…操作モードスイッチ、１２…つまみ部、１３…回転体部、１４…摺動片、１５…接触片、１６…基板部、２２…Ｖ字形状レバー、２３…第１の片、２３ａ…突起部、２４…第２の片、２５…連結部、２７…捻りバネ、３０…ストッパ腕、３１…カバー駆動腕、３２…ストッパ固定片、３３…スプリング、３５…レンズカバー、３６…ポスト、３７…カバー部、３８…レンズ取付開口、３９…係止片。
【図１】
0004015772.tif 000002
【図２】
0004015772.tif 000003